(57)【要約】【課題】オブジェクトの変化する様を眼が疲れないようにして両眼で観察でき、オブジェクト容器も簡単に交換することができる卓上型万華鏡の提供。【解決手段】平坦面１０１に載置される基台１２と、該基台１２に揺動可能に取り付けられるケース本体２２と、少なくとも内側２面を反射面としてケース本体２２内に収容される鏡体５３と、ケース本体２２を角度調整可能に支持する一対のガイド腕部４２，４２と、適宜のオブジェクト６５を収容して配置されるオブジェクト容器６２とを少なくとも備え、ケース本体２２は、ガイド腕部４２との間に各別に形成される角度調整機構４６を介して揺動角度規制を可能に配設され、オブジェクト容器６２は、手指の動きを駆動源としてケース本体２２側に配設される回動機構３４に対しその着脱と従動回転とを可能に配置した。【選択図】図３
2011013312.tif 000002
【特許請求の範囲】
【請求項１】
平坦面に載置される基台と、該基台の左右幅方向にその先端縁部が揺動可能に取り付けられ、かつ、該先端縁部近傍に先端開口部を確保してなるケース本体と、少なくとも対向する内側２面が反射面となって前記ケース本体の後端開口部に両眼方向を長さ方向とする三角形状を呈する覗き窓から両眼による先端方向の観察を可能に前記ケース本体内に収容される鏡体と、前記基台上に立設されて前記ケース本体を角度調整可能に支持する一対のガイド腕部と、適宜のオブジェクトを収容してケース本体の前記先端開口部の左右幅方向にその軸方向を沿わせて配置される円筒状のオブジェクト容器とを備え、前記ケース本体は、前記ガイド腕部との間に各別に形成される角度調整機構を介して前記先端縁部を支点とする上下方向での揺動角度規制を可能に配設され、前記オブジェクト容器は、手指の動きを駆動源として前記ケース本体側に配設される回動機構に対しその着脱と従動回転とを可能に配置したことを特徴とする卓上型万華鏡。
【請求項２】
前記角度調整機構は、前記ケース本体の揺動方向を凹凸列方向とする一対の凹凸列部と、各ガイド腕部にあって前記凹凸列部と各別に対面する位置関係にあるそれぞれの対向面に常に突出方向に付勢されて配設される突起部とで構成し、前記凹凸列部に対する突起部の係止位置を変えることで前記ケース本体の揺動角度を規制可能とした請求項１記載の卓上型万華鏡。
【請求項３】
前記回動機構は、ケース本体における前記先端開口部のやや上方に位置する左右幅方向の両外側面に配設される回転操作ダイヤルと、各回転操作ダイヤルと直結させて回転可能に横架される駆動側回転軸と、前記ケース本体内に位置する前記駆動側回転軸の一端部に軸着される駆動側ロープ車と、ケース本体の前記先端開口部の左右幅方向を軸方向として前記オブジェクト容器を下支えすべく前後２列となって回転可能に軸支される各従動側回転軸と、前記駆動側ロープ車の位置と対応する位置の各従動側回転軸に軸着される各従動側ロープ車と、前記駆動側ロープ車と各従動側ロープ車との間に一体に架け渡されるロープとで構成した請求項１または２に記載の卓上型万華鏡。
【請求項４】
前記従動側回転軸の少なくともいずれか一方には、前記オブジェクト容器を円滑に従動回転させるための摩擦部材を軸着させた請求項３に記載の卓上型万華鏡。
【請求項５】
前記基台における余白面には、予備のオブジェクト容器を安定的に載置させておくための凹部を設けた請求項１ないし４のいずれかに記載の卓上型万華鏡。
【発明の詳細な説明】
【技術分野】
【０００１】
本発明は、オブジェクトの変化する様を楽な姿勢のもとで両眼を使って観察できるようにした卓上型万華鏡に関する技術である。
【背景技術】
【０００２】
万華鏡は、１８１６年にスコットランド（イギリス）のデヴィッド・ブリュースターによって発明されたとされており、２００年弱の時を経てめざましい発展を遂げて、多くの優れた作品が生み出されてきている。
【０００３】
ここで、基本的な万華鏡の構造を説明すれば、角柱形状を呈する多面鏡と、該多面鏡を収容する筒体と、該筒体の後端側に配置される覗き窓と、筒体の先端側に配置されるビーズやスパンコールや鳥の羽根などの細片（本明細書では「オブジェクト」という。）を収容したオブジェクト容器とで構成されている。
【０００４】
そして、このような構造からなる万華鏡は、観察者が覗き窓から片目で中を覗き込みながら手で持った筒体を回転させることで、オブジェクト容器内のオブジェクトが変化する幾何学模様を楽しむことができるようになっている。
【０００５】
この場合における多面鏡は、２枚の鏡と１枚の無反射面とで三角柱を作ったり、３枚の鏡で三角柱を作るなど、各種のミラーシステムを採用することで形成されている。
【０００６】
また、従来からある万華鏡のなかには、下記特許文献１に開示されているように観察者が両眼で変化する様を鑑賞できるようにしたものや、下記特許文献２に開示されているようにオブジェクト容器を交換できるようにしたものもある。
【先行技術文献】
【特許文献】
【０００７】
【特許文献１】特開２０００−１５５２８７号公報
【０００８】
【特許文献２】実用新案登録第３１１４９２２号公報
【０００９】
これらのうち、特許文献１に開示されている万華鏡は、後端側に接眼部を配置した二本の多面鏡を備え、これらの多面鏡の先端側に１本のオブジェクト容器を自動回転可能に配置することで、観察者が両眼でオブジェクトが変化する様を観察できるようになっている。
【００１０】
また、特許文献２に開示されている万華鏡は、筒体内に１本の多面鏡が収容されており、該多面鏡の先端側に多数のオブジェクトが収容されている透明なオブジェクト容器が手回しと交換とを可能に配置されており、観察者が片眼でオブジェクトの変化する様を観察できるようになっている。
【発明の概要】
【発明が解決しようとする課題】
【００１１】
しかし、上記特許文献１に開示されている万華鏡は、オブジェクト容器を自動回転させた際に、中で移動するオブジェクトの変化する様を両眼で観察することができるものの、その駆動機構が複雑でコスト高になるばかりでなく、観察者が子供であったり老人であったりする場合にその目線方向を最適な観察角度に調整することができない不便さもあった。
【００１２】
また、上記特許文献２に開示されている万華鏡は、異なるオブジェクトが収容された複数種類のオブジェクト容器を用意しておき、該オブジェクト容器を交換してそれぞれのオブジェクトの変化する様を観察することができるものの、自分で好きなオブジェクトをオブジェクト容器内に入れて作ることができない不自由さがあったほか、これも片眼で観察しなければならないため、観察者が子供であったり老人であったりする場合には疲れやすいばかりでなく、その目線方向を最適な観察角度に調整することができないという不便さもあった。
【００１３】
本発明は、従来技術にみられた上記課題に鑑み、観察者の目線方向を最適な観察角度に調整してオブジェクトの変化する様を眼が疲れないようにして両眼で観察できるほか、オブジェクト容器も自分で好きなオブジェクトを入れて作ったものを自由に、そして簡単に交換することができるようにした卓上型万華鏡を提供することにその目的がある。
【課題を解決するための手段】
【００１４】
本発明は、上記目的を達成すべくなされたものであり、平坦面に載置される基台と、該基台の左右幅方向にその先端縁部が揺動可能に取り付けられ、かつ、該先端縁部近傍に先端開口部を確保してなるケース本体と、少なくとも対向する内側２面が反射面となって前記ケース本体の後端開口部に両眼方向を長さ方向とする三角形状を呈する覗き窓から両眼による先端方向の観察を可能に前記ケース本体内に収容される鏡体と、前記基台上に立設されて前記ケース本体を角度調整可能に支持する一対のガイド腕部と、適宜のオブジェクトを収容してケース本体の前記先端開口部の左右幅方向にその軸方向を沿わせて配置される円筒状のオブジェクト容器とを備え、前記ケース本体は、前記ガイド腕部との間に各別に形成される角度調整機構を介して前記先端縁部を支点とする上下方向での揺動角度規制を可能に配設され、前記オブジェクト容器は、手指の動きを駆動源として前記ケース本体側に配設される回動機構に対しその着脱と従動回転とを可能に配置したことを最も主要な特徴とする。
【００１５】
この場合、前記角度調整機構は、前記ケース本体の揺動方向を凹凸列方向とする一対の凹凸列部と、各ガイド腕部にあって前記凹凸列部と各別に対面する位置関係にあるそれぞれの対向面に常に突出方向に付勢されて配設される突起部とで構成し、前記凹凸列部に対する突起部の係止位置を変えることで前記ケース体の揺動角度を規制可能とするのが好ましい。
【００１６】
また、前記回動機構は、ケース本体における前記先端開口部のやや上方に位置する左右幅方向の両外側面に配設される回転操作ダイヤルと、各回転操作ダイヤルと直結させて回転可能に横架される駆動側回転軸と、前記ケース本体内に位置する前記駆動側回転軸の一端部に軸着される駆動側ロープ車と、ケース本体の前記先端開口部の左右幅方向を軸方向として前記オブジェクト容器を下支えすべく前後２列となって回転可能に軸支される各従動側回転軸と、前記駆動側ロープ車の位置と対応する位置の各従動側回転軸に軸着される各従動側ロープ車と、前記駆動側ロープ車と各従動側ロープ車との間に一体に架け渡されるロープとで構成するのが望ましい。
【００１７】
さらに、前記従動側回転軸の少なくともいずれか一方には、前記オブジェクト容器を円滑に従動回転させるための摩擦部材を軸着させておくことができる。また、前記基台における余白面には、予備のオブジェクト容器を安定的に載置させておくための凹部を設けておいてもよい。
【発明の効果】
【００１８】
本発明によれば、覗き窓から両眼でオブジェクト容器を観察することができるようにしてケース本体内に鏡体が収容されているほか、ケース本体自体も角度調整機構を介して上下方向にその揺動角度を規制することができるので、観察者の目線方向を最適な観察角度に調整して両眼でオブジェクトの変化する様を大きな画面のもとで眼が疲れないようにして観察することができる。
【００１９】
また、オブジェクト容器は、手指の動きを駆動源としてケース本体側に配設される回動機構を介して観察者が自らの意思で従動回転させることができるので、オブジェクトの変化する様もその速度を思いのまま遅くしたり速くしながら多様なバリエーションのもとで楽しむことができる。
【００２０】
しかも、オブジェクト容器自体は、ケース本体が備える回動機構から簡単に取り出して新たなものに交換することができるので、自分で好きなオブジェクトを入れて作っておいた種々のパターンのオブジェクト容器を、その時々の好みに応じて交換しながらその観察を繰り返すことで、想像力を刺激しながら豊かな発想力を身に付けさせることができ、特にお年寄りや子供に対し変化と興趣に富む視覚情報を送ることで、脳に刺激を与えてこれを活性化させる一助とすることができる。
【図面の簡単な説明】
【００２１】
【図１】本発明の構成例をオブジェクト容器側の配置関係とともに示す要部斜視図。
【図２】本発明におけるケース本体と鏡体との配置関係例を部分断面構造のもとで示す要部斜視図。
【図３】本発明の一例をケース本体の揺動状態とともに示す側面図。
【図４】ケース体と一対のガイド腕部との間に形成される角度調整機構の一例を、ガイド腕部側をケース体側から引き離した状態で示す要部分解斜視図。
【図５】本発明における角度調整機構の具体的な構成例を示す説明図。
【図６】本発明における回動機構の一例を示す要部斜視図。
【図７】本発明を利用しての観察者の観察操作状態例を示す全体斜視図。
【発明を実施するための形態】
【００２２】
卓上型万華鏡１１は、図１および図２からも明らかなように、机等の平坦面１０１に載置される基台１２と、該基台１２に揺動を可能に取り付けられるケース本体２２と、向き合う内側２面を反射面５６とし、残りの内側１面を無反射面５８としてケース本体２２内に収容される鏡体５３と、ケース本体２２を角度調整可能に支持する一対のガイド腕部４２，４２と、適宜のオブジェクト６５を収容して配置されるオブジェクト容器６２とを少なくとも備えて形成されている。
【００２３】
これらのうち、基台１２は、例えば左右の横幅が２３０ｍｍ程度、奥行きが３９０ｍｍ程度、板厚が１０ｍｍ程度の面サイズを有する平坦な板状部材を用いて形成されている。
【００２４】
また、基台１２には、交換用に用意されているオブジェクト容器６２を安定的に載置しておくための凹部１３が、余白部として残されている例えば手前側表面に設けられている。
【００２５】
また、ケース本体２２は、対面合致する側面形状が付与されて左右に離間配置される各側板部２４と、これら側板部２４，２４相互間の上面側を塞ぐ天板部２７と下面側を塞ぐ底板部２８とで形成される筒本体部２３を基本形としてその全体が形成されている。
【００２６】
すなわち、各側板部２４は、水平下端面２５ａを有する支腕片部２５と、これら水平下端面２５ａ，２５ａ相互間を塞いで基台１２上に載置される底板部２８と、該底板部２８を基台１２上に載置させた際に筒本体部２３側が基台１２との間に略３０度の内角を形成して上向きに斜行するように支腕片部２５側から延設された斜片部２６とを備えて形成されている。
【００２７】
この場合、ケース本体２２における筒本体部２３は、各側板部２４における斜片部２６，２６相互間を天板部２７と底板部２８とで塞ぎ、かつ、各支腕片部２５，２５における後端面２５ｂ，２５ｂ相互間も閉止することで、前傾する中空部３０がその内部に確保される。
【００２８】
しかも、ケース本体２２にあって側板部２４の各支腕片部２５と底板部２８とで仕切られる先端領域には、オブジェクト容器４２を配置するための先端開口部３１が確保されることになる。
【００２９】
また、底板部２８の先端縁部２８ａは、例えば蝶番のような揺動連結材３３を介して基台１２側と連結されており、これによりケース本体２２の全体が先端縁部２８ａを支点として持ち上げ・持ち下げ方向へと揺動させることができるようになっている。
【００３０】
そして、ケース本体２２自体は、基台１２上に立設された一対のガイド腕部４２，４２との間に各別に形成される角度調整機構４５を介して先端縁部２８ａを支点とする上下方向での揺動角度規制を可能にして配設されている。
【００３１】
この場合における各角度調整機構４５は、ケース本体２２の揺動方向を凹凸列方向とする一対の凹凸列部４７，４７と、各ガイド腕部４２にあって各凹凸列部４７と各別に対面する位置関係にあるそれぞれの対向面に常に突出方向に付勢されて配設される例えば断面略三角形状を呈する突起部４８とで構成されている。
【００３２】
これを図３〜図５を参照してより詳しく説明すれば、各側板部２４にあって支腕片部２５近傍に位置する斜片部２６のそれぞれの内側面２６ａには、ケース本体２２の揺動方向を凹凸列方向とした緩い波形形状を呈する凹凸列部４７がその幅方向を列方向として配置されている。
【００３３】
また、一対のガイド腕部４２，４２は、基台１２に支持される基板部４３と、該基板部４３からケース本体２２の先端縁部２８ａを揺動中心点とする揺動方向に延設された弧状板部４４とでそれぞれが一体形成されている。
【００３４】
この場合、各弧状板部４４側は、ケース本体２２の底板部２８に形成された導入孔２９を介して中空部３０内に導入できるように形成されており、中空部３０内に導入されるそれぞれの開放端部４４ａには、凹凸列部４７方向を常に突出方向として付勢されて該凹凸列部４７と各別に直面する位置関係のもとで突起部４８が配設されている。
【００３５】
該突起部４８は、図４および図５からも明らかなように、弧状板部４４の開放端部４４ａに設けられている切欠部４５の幅方向を長さ方向として支持固定されている支杆５１に支持させた圧縮用コイルバネ５０を介することで、切欠部４５を覆うように固着されている支持金具４９から常に突出する方向に付勢された状態のもとで、該支持金具４９に強制的な後退を可能にして保持されている。
【００３６】
図２は、ケース本体２２の筒本体部２３内に収容される一例としての鏡体５３の断面構造を示すものであり、同図によれば、水平上辺部５４の内側面５４ａと斜下辺部５５の内側面５５ａとの２面を鏡面からなる反射面５６とし、水平上辺部５４との間の内角が直角の短辺としての縦辺部５７の内側面５７ａを黒色面からなる無反射面５８とした断面が直角三角形を呈する筒状に形成されている。
【００３７】
つまり、ケース本体２２の後端開口部３２には、鏡体５３における水平上辺部５４が天板部２７近傍にて平行に位置する直角三角形状を呈する覗き窓５９が形成されることになり、該覗き窓５９を介して両眼によるケース本体２２の先端開口部３１側を目視観察できることになる。
【００３８】
この場合、覗き窓５９からケース本体２２の先端開口部３１までの長さは、眼が疲れない視界焦点である例えば３０ｃｍの距離となるように設定するのが望ましい。
【００３９】
オブジェクト容器６２は、透明な有底円筒状の容器本体部６３と、該容器本体部６３の開口部６４に施蓋される蓋部６５とで形成されている。また、オブジェクト容器６２内には、オブジェクト６６は、好みに応じて選択される各種パターンのオブジェクト６６が収容されている。
【００４０】
また、オブジェクト容器６２が着脱可能に配置されるケース本体２２の先端開口部３０には、図７に示すように手指Ｆの動きを駆動源とする回動機構３４が配設されており、該回動機構３４を介してオブジェクト容器６２を従動回転させることができるようになっている。
【００４１】
図６は、回動機構３４の具体例を示すものであり、手指で回転させる回転操作ダイヤル３５と、駆動側ロープ車３７を備えて回転操作ダイヤル３５と直結されている駆動側回転軸３６と、従動側ロープ車３９と摩擦部材４０とを備えてオブジェクト容器６２を前後２列で下支えする従動側回転軸３８と、駆動側ロープ車３７と従動側ロープ車３９とに一体となって架け渡されるロープ４１とで構成されている。
【００４２】
これらのうち、指先を受け止めるための穴部３５ａを外表面に有する回転操作ダイヤル３５は、ケース本体２２における先端開口部３１のやや上方に位置する左右幅方向の両外側面、つまり各側板部２４における支腕片部２５と斜片部２６との境界部位の外表面側に各別に配設されている。
【００４３】
また、駆動側回転軸は、ケース本体２２内の左右幅方向をその長さ方向として各回転操作ダイヤル３５と直結させた状態で架け渡されており、左側に位置する側板部２４の内側近傍位置には、駆動側ロープ車３７が軸着されている。
【００４４】
従動側回転軸３８は、ケース本体２２における先端開口部３１が位置する各側板部２４における支腕片部２５，２５相互間における前後方向に２列に配列されて、その従動回転とオブジェクト容器６２の下支えとを可能にして軸支されている。
【００４５】
しかも、各従動側回転軸３８は、左側に位置する支腕片部２５の内側近傍位置には従動側側ロープ車３９が、オブジェクト容器６２との当接部位にがゴムリングなどの摩擦部材４０がそれぞれ軸着された状態のもとでそれぞれが配設されている。
【００４６】
そして、駆動側ロープ車３７と各従動側ロープ車３９との間には、それぞれのガイド溝３７ａ，３９ａに案内させてシリコーンゴムなどの弾性素材からなるロープ４１が一体となって架け渡されており、回転操作ダイヤル３５を回転させた際の回転運動が駆動側ロープ車３７と各従動側ロープ車３９とを介して各従動側回転軸３８に伝達することができるようになっている。なお、駆動側ロープ車３７は、その外径を各従動側ロープ車３９の外径よりも大径にすることで、オブジェクト容器６２をより速く回転させることができるほか、その逆にしてオブジェクト容器６２をより遅く回転させることができるようにすることもできる。
【００４７】
次に、上記構成からなる本発明の作用・効果を説明すれば、図７に示すように子供やお年寄りを含む観察者Ｈは、机やテーブルなどの平坦面１０１に卓上型万華鏡１１を載置した上で、まず、ケース本体２２における後端開口部３２の位置が自分の目線との関係で適切な高さ位置にあるか否かを判断する。
【００４８】
観察者Ｈは、ケース本体２２における後端開口部３２の高さが自分の目線位置に最適だと判断した場合には、両眼Ｅをケース本体２２の後端開口部３２側に位置している覗き窓５９に両眼Ｅを近づけて覗き込むと同時に、左側の回転操作ダイヤル３５は左の手指Ｆで持ち、図に表れない右側の回転操作ダイヤルは右の手指で持ち、任意方向に回転させる。この場合、観察者Ｈは、回転操作ダイヤル３５が備える穴部３５ａを利用して回転操作ダイヤル３５を回転させることもできる。
【００４９】
また、駆動側回転軸３６は、回転操作ダイヤル３５に直結されているのでこれも同方向に回転するとともに、これに軸着されているして駆動側ロープ車３７も同方向に回転する。
【００５０】
しかも、駆動側ロープ車３７と各従動側ロープ車３９との間には、ロープ４１が緊張した状態で架け渡されているので、前後に配置されている各従動側回転軸３８も従動回転する。
【００５１】
オブジェクト容器６２は、前列２個、後列２個の各摩擦部材４０を介して前後に位置する各従動側回転軸３８上に載置されているので、摩擦部材４０の摩擦力により空転することなく円滑に従動回転させることができる。
【００５２】
したがって、観察者Ｈは、覗き窓５９からケース本体２２の先端開口部３１側に配置されている透明なオブジェクト容器６２を通じて、中で転動するオブジェクト６６の変化する様を両眼Ｅで観察することができる。
【００５３】
しかも、図示例によれば、ケース本体２２内に収容されている鏡体５３は、ツーミラーシステムとなっているので、中心に一つ焦点を結んだ放射状の模様がその時々の回転速度のもとで変化する様を、観察者Ｈが大きな画面のもとで眼が疲れないようにして興味深く観察することができる。
【００５４】
一方、観察者Ｈは、ケース本体２２における後端開口部３２の高さが自分の目線位置に合っていないと判断した場合には、図３に示すようにケース本体２２の後端開口部３２側を手で持って可動域が残されていれば下方に、可動域が残されていなければ上方に移動させる。
【００５５】
この場合、ケース本体２２は、底板部２８の先端縁部２８ａが支点である揺動連結材３３を介して基台１２側に連結されているので、上下方向への揺動性は確保されている。
【００５６】
しかも、ケース本体２２と一対のガイド腕部４２との間には、図４に示すように凹凸列部４７と突起部４８とからなる角度調整機構４６が配設されているので、固定側であるガイド腕部４２に配設されている突起部４８に対し、移動側であるケース本体２２に配設されている凹凸列部４７を移動させることで、突起部４８の頂端部４８ａが凹部４７ａに入り込む際には図５に示すように突出して係合させることができる。
【００５７】
また、突起部４８の頂端部４８ａが凸部４７ｂを乗り越えようとする際には、突起部４８自体が圧縮用コイルスプリング５０の付勢力に抗して後退させることができるので、大きな力をかけることなく容易に乗り越えさせて次の凹部４７ａへと頂端部４８ａを簡単に送り込むことができる。
【００５８】
つまり、観察者Ｈは、ケース本体２２の後端開口部３２側を手で持って単に上下方向に移動させて角度調整することで、覗き窓５９の位置を簡単に自分の目線位置に簡単に合わせることができるので、大きな画面のもとで眼が疲れないようにして楽な姿勢のもとでオブジェクトの変化する様を心おきなく安心して観察することができる。
【００５９】
しかも、オブジェクト容器６２自体は、ケース本体２２が備える回動機構３４から簡単に取り出して新たなものに交換することができるので、自分で好きなオブジェクトを入れて作っておいた種々のパターンのオブジェクト容器（例えば、基台１２の余白面の凹部１３に載置されているオブジェクト容器６２）を、その時々の好みに応じて交換しながらその観察を繰り返すことで、想像力を刺激しながら豊かな発想力を身に付けさせることができ、特にお年寄りや子供に対し変化と興趣に富む視覚情報を送ることで、脳に刺激を与えてこれを活性化させる一助とすることができる。
【００６０】
以上は、本発明を図示例に基づいて説明したものであり、その具体的な構造はこれに限定されるものではない。例えば、鏡体５３は、図示例のようなツーミラーシステムのほか、断面が直角三角形を呈する図示しないスリーミラーシステムにより形成されているものや、両眼Ｅが位置する覗き窓５９の横方向を高さ方向とする断面が二等辺三角形を呈するツーミラーシステムやスリーミラーシステムのもとで形成されているものであってもよい。また、回動機構３４は、噛合させた歯車列により回転を伝達できるようにした構造を備えるものであってもよい。さらに、各従動側回転軸３８には、所望に応じて摩擦部材４０を軸着させなかったり、いずれか一方の従動側回転軸３８にのみ１以上の摩擦部材４０を軸着したり、双方に２以上の摩擦部材４０を軸着したりすることができる。
【産業上の利用可能性】
【００６１】
本発明に係る卓上型万華鏡は、大人向けの本格的な万華鏡としての用途に供することができるばかりでなく、子供のための情操教育玩具の一つとして供したり、高齢者の脳神経細胞に心地よい刺激を与える有力な機能回復訓練のためのツールとして有効に活用することができる。
【符号の説明】
【００６２】
１１  卓上型万華鏡
１２  基台
１３  凹部
２２  ケース本体
２３  筒本体部
２４  側板部
２５  支腕片部
２５ａ  水平下端面
２５ｂ  後端面
２６  斜片部
２６ａ  内側面
２７  天板部
２８  底板部
２８ａ  先端縁部
２９  導入孔
３０  中空部
３１  先端開口部
３２  後端開口部
３３  揺動連結材
３４  回動機構
３５  回転操作ダイヤル
３５ａ  穴部
３６  駆動側回転軸
３７  駆動側ロープ車
３７ａ  ガイド溝
３８  従動側回転軸
３９  従動側ロープ車
３９ａ  ガイド溝
４０  摩擦部材
４１  ロープ
４２  ガイド腕部
４３  基片部
４４  弧状片部
４５  切欠部
４６  角度調整機構
４７  凹凸列部
４７ａ  凹部
４７ｂ  凸部
４８  突起部
４８ａ  頂端部
４９  支持金具
５０  圧縮用コイルスプリング
５１  支杆
５３  鏡体
５４  水平上辺部
５４ａ  内側面
５５  斜下片部
５５ａ  内側面
５６  反射面
５７  縦辺部
５７ａ  内側面
５８  無反射面
５９  覗き窓
６２  オブジェクト容器
６３  容器本体部
６４  開口部
６５  蓋部
６６  オブジェクト
１０１  平坦面
【図１】
2011013312.tif 000003
【図２】
2011013312.tif 000004
【図３】
2011013312.tif 000005
【図４】
2011013312.tif 000006
【図５】
2011013312.tif 000007
【図６】
2011013312.tif 000008
【図７】
2011013312.tif 000009